【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
周期的な発見窓を用いて構成される近傍アウェアネットワーク内のワイヤレス通信装置によってワイヤレス媒体を介して通信する方法であって、前記ネットワークは、デバイスの最大数Ｍ個にサイズ決定される、
しきい値Ｍより多いデバイスが同じ発見窓の間に送信することになる確率がしきい値確率Ｐよりも小さくなるように、１より大きいか等しい最小の整数である発見窓間隔Ｋを決定することと、
０からＫ−１の範囲でランダムまたは擬似ランダム整数ｍを選択することと、
調整値ｂ＝ｍａｘ（０，（Ｋ−ｍ-1−ｃ））を決定することと、ここにおいて、ｍ-1が、前の送信について計算された整数ｍを備え、ｃが、前記前の送信から経過した発見窓の数を備える、
前の間隔Ｋ-1が経過した後にｂ＋ｍ個の発見窓の間延期することと、
前記延期することの後に次の発見窓中の間に発見フレームを送信することと、ここにおいて、前記延期することは、備える、
を備える方法。
【請求項２】
Ｋ0が、
【数１】
2016518073.tif 000001
のように、１より大きいか等しい前記最小の整数を備え、
ここにおいて、ｅｒｆｃが、相補誤差関数を備え、Ｎが、送信のための発見フレームを有する推定された数のデバイスを備える、
または、第１のコンテンション窓がＭの１０倍よりも大きい、
または、Ｎが、前記近傍アウェアネットワークに関連するデバイスの数を備える、請求項１に記載の方法。
【請求項３】
周期的な発見窓を用いて構成される近傍アウェアネットワーク内の、ワイヤレス媒体を介して通信するように構成されたデバイスであって、前記ネットワークは、デバイスの最大数Ｍ個にサイズ決定される、
しきい値Ｍより多いデバイスが同じ発見窓の間に送信することになる確率がしきい値確率Ｐよりも小さくなるように、１より大きいか等しい最小の整数である発見窓間隔Ｋを決定することと、
０からＫ−１の範囲でランダムまたは擬似ランダム整数ｍを選択することと、
調整値ｂ＝ｍａｘ（０，（Ｋ−ｍ-1−ｃ））を決定することと、ここにおいて、ｍ-1が、前の送信について計算された整数ｍを備え、ｃが、前記前の送信から経過した発見窓の数を備える、
前の間隔Ｋ-1が経過した後にｂ＋ｍ個の発見窓の間延期することと
を行うように構成されたプロセッサと、
前記延期することの後に次の発見窓の間に発見フレームを送信することを行うように構成された送信機と
を備えるデバイス。
【請求項４】
Ｋ0が、
【数２】
2016518073.tif 000002
のように、１より大きいか等しい前記最小の整数を備え、
ここにおいて、ｅｒｆｃが、相補誤差関数を備え、Ｎが、送信のための発見フレームを有する推定された数のデバイスを備える、
または、第１のコンテンション窓がＭの１０倍よりも大きい、
または、Ｎが、前記近傍アウェアネットワークに関連するデバイスの数を備える、請求項３に記載のデバイス。
【請求項５】
周期的な発見窓を用いて構成される近傍アウェアネットワーク内の、ワイヤレス媒体を介して通信するための装置であって、前記ネットワークは、デバイスの最大数Ｍ個にサイズ決定される、
しきい値Ｍより多いデバイスが同じ発見窓の間に送信することになる確率がしきい値確率Ｐよりも小さくなるように、１よりも大きいか等しい最小の整数である発見窓間隔Ｋを決定するための手段と、
０からＫ−１の範囲でランダムまたは擬似ランダム整数ｍを選択するための手段と、
調整値ｂ＝ｍａｘ（０，（Ｋ−ｍ-1−ｃ））を決定するための手段と、ここにおいて、ｍ-1が、前の送信について計算された整数ｍを備え、ｃが、前記前の送信から経過した発見窓の数を備える、
前の間隔Ｋ-1が経過した後にｂ＋ｍ個の発見窓の間延期するための手段と、
前記延期することの後に次の発見窓の間に発見フレームを送信するための手段と
を備える装置。
【請求項６】
Ｋ0が、
【数３】
2016518073.tif 000003
のように、１より大きいか等しい前記最小の整数を備え、
ここにおいて、ｅｒｆｃが、相補誤差関数を備え、Ｎが、送信のための発見フレームを有する推定された数のデバイスを備える、
または、第１のコンテンション窓がＭの１０倍よりも大きい、
または、Ｎが、前記近傍アウェアネットワークに関連するデバイスの数を備える、請求項５に記載の装置。
【請求項７】
実行されたとき、装置に、請求項１から２のうちのいずれかを実行させるコードを備えるコンピュータプログラム。
【請求項８】
周期的な発見窓を用いて構成される近傍アウェアネットワーク内のワイヤレス通信装置によってワイヤレス媒体を介して通信する方法であって、
発見窓利用性に基づいて発見窓間隔Ｋを決定することと、
０からＫ−１の範囲でランダムまたは擬似ランダム整数ｍを選択することと、
調整値ｂ＝ｍａｘ（０，（Ｋ−ｍ-1−ｃ））を決定することと、ここにおいて、ｍ-1が、前の送信について計算された整数ｍを備え、ｃが、前記前の送信から経過した発見窓の数を備える、
前の間隔Ｋ-1が経過した後にｂ＋ｍ個の発見窓の間延期することと、
前記延期することの後に次の発見窓の間に発見フレームを送信することと
を備える方法。
【請求項９】
前記発見窓間隔Ｋを決定することが、
発見窓のための送信終了時間を決定することと、
前記発見窓のサイズよりも短いしきい値時間と前記送信終了時間を比較することと、
前記送信終了時間が前記しきい値時間より大きいか等しいときにＫを増加させることと、
前記送信終了時間が前記しきい値時間よりも短いときにＫを減少させることと
を備える、
または、Ｋを増加させることが、最大値Ｋと前のＫに定数を加算したものとのうちの最小値にＫを設定することを備える、
または、Ｋを増加させることが、最大値Ｋと前のＫに１よりも大きい定数を乗算したものとのうちの最小値にＫを設定することを備える、
または、Ｋを減少させることが、最小値Ｋと前のＫから定数を減算したものとのうちの最大値にＫを設定することを備える、
または、Ｋを減少させることが、最小値Ｋと前のＫに１よりも小さい定数を乗算したものとのうちの最大値にＫを設定することを備える、請求項８に記載の方法。
【請求項１０】
周期的な発見窓を用いて構成された近傍アウェアネットワーク内の、ワイヤレス媒体を介して通信するように構成されたデバイスであって、
発見窓利用性に基づいて発見窓間隔Ｋを決定することと、
０からＫ−１の範囲でランダムまたは擬似ランダム整数ｍを選択することと、
調整値ｂ＝ｍａｘ（０，（Ｋ−ｍ-1−ｃ））を決定することと、ここにおいて、ｍ-1が、前の送信について計算された整数ｍを備え、ｃが、前記前の送信から経過した発見窓の数を備える、
前の間隔Ｋ-1が経過した後にｂ＋ｍ個の発見窓の間延期することと
を行うように構成されたプロセッサと、
前記延期することの後に次の発見窓中に発見フレームを送信することを行うように構成された送信機と
を備えるデバイス。
【請求項１１】
前記プロセッサが、
発見窓のための送信終了時間を決定することと、
前記発見窓のサイズよりも短いしきい値時間と前記送信終了時間を比較することと、
前記送信終了時間が前記しきい値時間より大きいか等しいときにＫを増加させることと、
前記送信終了時間が前記しきい値時間よりも短いときにＫを減少させることと
を行うようにさらに構成された、
または、前記プロセッサが、最大値Ｋと前のＫに定数を加算したものとのうちの最小値にＫを設定することによってＫを増加させることを行うようにさらに構成された、
または、前記プロセッサが、最大値Ｋと前のＫに１よりも大きい定数を乗算したものとのうちの最小値にＫを設定することによってＫを増加させることを行うようにさらに構成された、
または、前記プロセッサが、最小値Ｋと前のＫから定数を減算したものとのうちの最大値にＫを設定することによってＫを減少させることを行うようにさらに構成された、
または、前記プロセッサが、最小値Ｋと前のＫに１よりも小さい定数を乗算したものとのうちの最大値にＫを設定することによってＫを減少させることを行うようにさらに構成された、請求項１０に記載のデバイス。
【請求項１２】
周期的な発見窓を用いて構成された近傍アウェアネットワーク内の、ワイヤレス媒体を介して通信するための装置であって、
発見窓利用性に基づいて発見窓間隔Ｋを決定するための手段と、
０からＫ−１の範囲でランダムまたは擬似ランダム整数ｍを選択するための手段と、
調整値ｂ＝ｍａｘ（０，（Ｋ−ｍ-1−ｃ））を決定するための手段と、ここにおいて、ｍ-1が、前の送信について計算された整数ｍを備え、ｃが、前記前の送信から経過した発見窓の数を備える、
前の間隔Ｋ-1が経過した後にｂ＋ｍ個の発見窓の間延期するための手段と、
前記延期することの後に次の発見窓の間に発見フレームを送信するための手段と
を備える装置。
【請求項１３】
前記発見窓間隔Ｋを決定するための手段が、
発見窓のための送信終了時間を決定するための手段と、
前記発見窓のサイズよりも短いしきい値時間と前記送信終了時間を比較するための手段と、
前記送信終了時間が前記しきい値時間より大きいか等しいときにＫを増加させるための手段と、
前記送信終了時間が前記しきい値時間よりも短いときにＫを減少させるための手段と
を備える、請求項１２に記載の装置。
【請求項１４】
Ｋを増加させるための手段が、最大値Ｋと前のＫに定数を加算したものとのうちの最小値にＫを設定するための手段を備える、
または、Ｋを増加させるための手段が、最大値Ｋと前のＫに１よりも大きい定数を乗算したものとのうちの最小値にＫを設定するための手段を備える、
または、Ｋを減少させるための手段が、最小値Ｋと前のＫから定数を減算したものとのうちの最大値にＫを設定するための手段を備える、
または、Ｋを減少させるための手段が、最小値Ｋと前のＫに１よりも小さい定数を乗算したものとのうちの最大値にＫを設定するための手段を備える、請求項１３に記載の装置。
【請求項１５】
実行されたとき、装置に、請求項８から９のうちのいずれかを実施させるコードを備えるコンピュータプログラム。
【手続補正２】
【補正対象書類名】明細書
【補正対象項目名】０１７１
【補正方法】変更
【補正の内容】
【０１７１】
[0188]同様に、動作は特定の順序で図面に示されているが、これは、望ましい結果を達成するために、そのような動作が、示される特定の順序でまたは順番に実施されることを、あるいはすべての図示の動作が実施されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明したプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。場合によっては、特許請求の範囲に記載の行為は、異なる順序で実施され、依然として望ましい結果を達成することができる。
以下に、本願出願の当初の特許請求の範囲に記載された発明を付記する。
［Ｃ１］
周期的な発見窓を用いて構成され、デバイスの最大数Ｍ個にサイズ決定される近傍アウェアネットワーク内のワイヤレス通信装置によってワイヤレス媒体を介して通信する方法であって、
しきい値Ｍより多いデバイスが同じ発見窓の間に送信することになる確率がしきい値確率Ｐよりも小さくなるように、１より大きいか等しい最小の整数である発見窓間隔Ｋを決定することと、
０からＫ−１の範囲でランダムまたは擬似ランダム整数ｍを選択することと、
前の間隔Ｋ-1が経過した後に少なくともｍ個の発見窓の間延期することと、
前記延期することの後に次の発見窓中の間に発見フレームを送信することと
を備える方法。
［Ｃ２］
前記延期することが、
調整値ｂ＝ｍａｘ（０，（Ｋ−ｍ-1−ｃ））を決定することと、ここにおいて、ｍ-1が、前の送信について計算された整数ｍを備え、ｃが、前の送信から経過した発見窓の数を備える、
ｂ＋ｍ個の発見窓の間延期することと
を備える、Ｃ１に記載の方法。
［Ｃ３］
Ｋ0が、
【数４】
2016518073.tif 000004
のように、１より大きいか等しい前記最小の整数を備え、
ここにおいて、ｅｒｆｃが、相補誤差関数を備え、Ｎが、送信のための発見フレームを有する推定された数のデバイスを備える、Ｃ１に記載の方法。
［Ｃ４］
第１のコンテンション窓がＭの１０倍よりも大きい、Ｃ３に記載の方法。
［Ｃ５］
Ｎが、前記近傍アウェアネットワークに関連するデバイスの数を備える、Ｃ３に記載の方法。
［Ｃ６］
周期的な発見窓を用いて構成され、デバイスの最大数Ｍ個にサイズ決定される近傍アウェアネットワーク内の、ワイヤレス媒体を介して通信するように構成されたデバイスであって、
しきい値Ｍより多いデバイスが同じ発見窓の間に送信することになる確率がしきい値確率Ｐよりも小さくなるように、１より大きいか等しい最小の整数である発見窓間隔Ｋを決定することと、
０からＫ−１の範囲でランダムまたは擬似ランダム整数ｍを選択することと、
前の間隔Ｋ-1が経過した後に少なくともｍ個の発見窓の間延期することと
を行うように構成されたプロセッサと、
前記延期することの後に次の発見窓の間に発見フレームを送信することを行うように構成された送信機と
を備えるデバイス。
［Ｃ７］
前記プロセッサが、
調整値ｂ＝ｍａｘ（０，（Ｋ−ｍ-1−ｃ））を決定することと、ここにおいて、ｍ-1が、前の送信について計算された整数ｍを備え、ｃが、前の送信から経過した発見窓の数を備える、
ｂ＋ｍ個の発見窓の間延期することと
を行うようにさらに構成された、Ｃ６に記載のデバイス。
［Ｃ８］
Ｋ0が、
【数５】
2016518073.tif 000005
のように、１より大きいか等しい前記最小の整数を備え、
ここにおいて、ｅｒｆｃが、相補誤差関数を備え、Ｎが、送信のための発見フレームを有する推定された数のデバイスを備える、Ｃ６に記載のデバイス。
［Ｃ９］
第１のコンテンション窓がＭの１０倍よりも大きい、Ｃ８に記載のデバイス。
［Ｃ１０］
Ｎが、前記近傍アウェアネットワークに関連するデバイスの数を備える、Ｃ８に記載のデバイス。
［Ｃ１１］
周期的な発見窓を用いて構成され、デバイスの最大数Ｍ個にサイズ決定される近傍アウェアネットワーク内の、ワイヤレス媒体を介して通信するための装置であって、
しきい値Ｍより多いデバイスが同じ発見窓の間に送信することになる確率がしきい値確率Ｐよりも小さくなるように、１よりも大きいか等しい最小の整数である発見窓間隔Ｋを決定するための手段と、
０からＫ−１の範囲でランダムまたは擬似ランダム整数ｍを選択するための手段と、
前の間隔Ｋ-1が経過した後に少なくともｍ個の発見窓の間延期するための手段と、
前記延期することの後に次の発見窓の間に発見フレームを送信するための手段と
を備える装置。
［Ｃ１２］
延期するための前記手段が、
調整値ｂ＝ｍａｘ（０，（Ｋ−ｍ-1−ｃ））を決定するための手段と、ここにおいて、ｍ-1が、前の送信について計算された整数ｍを備え、ｃが、前の送信から経過した発見窓の数を備える、
ｂ＋ｍ個の発見窓の間延期するための手段と
を備える、Ｃ１１に記載の装置。
［Ｃ１３］
Ｋ0が、
【数６】
2016518073.tif 000006
のように、１より大きいか等しい前記最小の整数を備え、
ここにおいて、ｅｒｆｃが、相補誤差関数を備え、Ｎが、送信のための発見フレームを有する推定された数のデバイスを備える、Ｃ１１に記載の装置。
［Ｃ１４］
第１のコンテンション窓がＭの１０倍よりも大きい、Ｃ１３に記載の装置。
［Ｃ１５］
Ｎが、前記近傍アウェアネットワークに関連するデバイスの数を備える、Ｃ１３に記載の装置。
［Ｃ１６］
実行されたとき、装置に、
しきい値Ｍより多いデバイスが同じ発見窓の間に送信することになる確率がしきい値確率Ｐよりも小さくなるように、１より大きいか等しい最小の整数である発見窓間隔Ｋを決定することと、
０からＫ−１の範囲でランダムまたは擬似ランダム整数ｍを選択することと、
前の間隔Ｋ-1が経過した後に少なくともｍ個の発見窓の間延期することと、
前記延期することの後に次の発見窓の間に発見フレームを送信することと
を行わせるコードを備える非一時的コンピュータ可読媒体。
［Ｃ１７］
前記延期することが、
調整値ｂ＝ｍａｘ（０，（Ｋ−ｍ-1−ｃ））を決定することと、ここにおいて、ｍ-1が、前の送信について計算された整数ｍを備え、ｃが、前の送信から経過した発見窓の数を備える、
ｂ＋ｍ個の発見窓の間延期することと
を備える、Ｃ１６に記載の媒体。
［Ｃ１８］
Ｋ0が、
【数７】
2016518073.tif 000007
のように、１より大きいか等しい前記最小の整数を備え、
ここにおいて、ｅｒｆｃが、相補誤差関数を備え、Ｎが、送信のための発見フレームを有する推定された数のデバイスを備える、Ｃ１６に記載の媒体。
［Ｃ１９］
第１のコンテンション窓がＭの１０倍よりも大きい、Ｃ１８に記載の媒体。
［Ｃ２０］
Ｎが、近傍アウェアネットワークに関連するデバイスの数を備える、Ｃ１８に記載の媒体。
［Ｃ２１］
周期的な発見窓を用いて構成される近傍アウェアネットワーク内のワイヤレス通信装置によってワイヤレス媒体を介して通信する方法であって、
発見窓利用性に基づいて発見窓間隔Ｋを決定することと、
０からＫ−１の範囲でランダムまたは擬似ランダム整数ｍを選択することと、
前の間隔Ｋ-1が経過した後に少なくともｍ個の発見窓の間延期することと、
前記延期することの後に次の発見窓の間に発見フレームを送信することと
を備える方法。
［Ｃ２２］
前記延期することが、
調整値ｂ＝ｍａｘ（０，（Ｋ−ｍ-1−ｃ））を決定することと、ここにおいて、ｍ-1が、前の送信について計算された整数ｍを備え、ｃが、前の送信から経過した発見窓の数を備える、
ｂ＋ｍ個の発見窓の間延期することと
を備える、Ｃ２１に記載の方法。
［Ｃ２３］
前記発見窓間隔Ｋを決定することが、
発見窓のための送信終了時間を決定することと、
前記発見窓のサイズよりも短いしきい値時間と前記送信終了時間を比較することと、
前記送信終了時間が前記しきい値時間以上であるときにＫを増加させることと、
前記送信終了時間が前記しきい値時間よりも短いときにＫを減少させることと
を備える、Ｃ２１に記載の方法。
［Ｃ２４］
Ｋを増加させることが、最大値Ｋと前のＫに定数を加算したものとのうちの最小値にＫを設定することを備える、Ｃ２３に記載の方法。
［Ｃ２５］
Ｋを増加させることが、最大値Ｋと前のＫに１よりも大きい定数を乗算したものとのうちの最小値にＫを設定することを備える、Ｃ２３に記載の方法。
［Ｃ２６］
Ｋを減少させることが、最小値Ｋと前のＫから定数を減算したものとのうちの最大値にＫを設定することを備える、Ｃ２３に記載の方法。
［Ｃ２７］
Ｋを減少させることが、最小値Ｋと前のＫに１よりも小さい定数を乗算したものとのうちの最大値にＫを設定することを備える、Ｃ２３に記載の方法。
［Ｃ２８］
周期的な発見窓を用いて構成された近傍アウェアネットワーク内の、ワイヤレス媒体を介して通信するように構成されたデバイスであって、
発見窓利用性に基づいて発見窓間隔Ｋを決定することと、
０からＫ−１の範囲でランダムまたは擬似ランダム整数ｍを選択することと、
前の間隔Ｋ-1が経過した後に少なくともｍ個の発見窓の間延期することと
を行うように構成されたプロセッサと、
前記延期することの後に次の発見窓中に発見フレームを送信することを行うように構成された送信機と
を備えるデバイス。
［Ｃ２９］
前記プロセッサが、
調整値ｂ＝ｍａｘ（０，（Ｋ−ｍ-1−ｃ））を決定することと、ここにおいて、ｍ-1が、前の送信について計算された整数ｍを備え、ｃが、前の送信から経過した発見窓の数を備える、
ｂ＋ｍ個の発見窓の間延期することと
を行うようにさらに構成された、Ｃ２８に記載のデバイス。
［Ｃ３０］
前記プロセッサが、
発見窓のための送信終了時間を決定することと、
前記発見窓のサイズよりも短いしきい値時間と前記送信終了時間を比較することと、
前記送信終了時間が前記しきい値時間より大きいか等しいときにＫを増加させることと、
前記送信終了時間が前記しきい値時間よりも短いときにＫを減少させることと
を行うようにさらに構成された、Ｃ２８に記載のデバイス。
［Ｃ３１］
前記プロセッサが、最大値Ｋと前のＫに定数を加算したものとのうちの最小値にＫを設定することによってＫを増加させることを行うようにさらに構成された、Ｃ３０に記載のデバイス。
［Ｃ３２］
前記プロセッサが、最大値Ｋと前のＫに１よりも大きい定数を乗算したものとのうちの最小値にＫを設定することによってＫを増加させることを行うようにさらに構成された、Ｃ３０に記載のデバイス。
［Ｃ３３］
前記プロセッサが、最小値Ｋと前のＫから定数を減算したものとのうちの最大値にＫを設定することによってＫを減少させることを行うようにさらに構成された、Ｃ３０に記載のデバイス。
［Ｃ３４］
前記プロセッサが、最小値Ｋと前のＫに１よりも小さい定数を乗算したものとのうちの最大値にＫを設定することによってＫを減少させることを行うようにさらに構成された、Ｃ３０に記載のデバイス。
［Ｃ３５］
周期的な発見窓を用いて構成された近傍アウェアネットワーク内の、ワイヤレス媒体を介して通信するための装置であって、
発見窓利用性に基づいて発見窓間隔Ｋを決定するための手段と、
０からＫ−１の範囲でランダムまたは擬似ランダム整数ｍを選択するための手段と、
前の間隔Ｋ-1が経過した後に少なくともｍ個の発見窓の間延期するための手段と、
前記延期することの後に次の発見窓の間に発見フレームを送信するための手段と
を備える装置。
［Ｃ３６］
延期するための前記手段が、
調整値ｂ＝ｍａｘ（０，（Ｋ−ｍ-1−ｃ））を決定するための手段と、ここにおいて、ｍ-1が、前の送信について計算された整数ｍを備え、ｃが、前の送信から経過した発見窓の数を備える、
ｂ＋ｍ個の発見窓の間延期するための手段と
を備える、Ｃ３５に記載の装置。
［Ｃ３７］
前記発見窓間隔Ｋを決定するための手段が、
発見窓のための送信終了時間を決定するための手段と、
前記発見窓のサイズよりも短いしきい値時間と前記送信終了時間を比較するための手段と、
前記送信終了時間が前記しきい値時間より大きいか等しいときにＫを増加させるための手段と、
前記送信終了時間が前記しきい値時間よりも短いときにＫを減少させるための手段と
を備える、Ｃ３５に記載の装置。
［Ｃ３８］
Ｋを増加させるための手段が、最大値Ｋと前のＫに定数を加算したものとのうちの最小値にＫを設定するための手段を備える、Ｃ３７に記載の装置。
［Ｃ３９］
Ｋを増加させるための手段が、最大値Ｋと前のＫに１よりも大きい定数を乗算したものとのうちの最小値にＫを設定するための手段を備える、Ｃ３７に記載の装置。
［Ｃ４０］
Ｋを減少させるための手段が、最小値Ｋと前のＫから定数を減算したものとのうちの最大値にＫを設定するための手段を備える、Ｃ３７に記載の装置。
［Ｃ４１］
Ｋを減少させるための手段が、最小値Ｋと前のＫに１よりも小さい定数を乗算したものとのうちの最大値にＫを設定するための手段を備える、Ｃ３７に記載の装置。
［Ｃ４２］
実行されたとき、装置に、
発見窓利用性に基づいて発見窓間隔Ｋを決定することと、
０からＫ−１の範囲でランダムまたは擬似ランダム整数ｍを選択することと、
前の間隔Ｋ-1が経過した後に少なくともｍ個の発見窓の間延期することと、
前記延期することの後に次の発見窓の間に発見フレームを送信することと
を行わせるコードを備える非一時的コンピュータ可読媒体。
［Ｃ４３］
実行されたとき、前記装置に、
調整値ｂ＝ｍａｘ（０，（Ｋ−ｍ-1−ｃ））を決定することと、ここにおいて、ｍ-1が、前の送信について計算された整数ｍを備え、ｃが、前の送信から経過した発見窓の数を備える、
ｂ＋ｍ個の発見窓の間延期することと
を行わせるコードをさらに備える、Ｃ４２に記載の媒体。
［Ｃ４４］
実行されたとき、前記装置に、
発見窓のための送信終了時間を決定することと、
前記発見窓のサイズよりも短いしきい値時間と前記送信終了時間を比較することと、
前記送信終了時間が前記しきい値時間より大きいか等しいときにＫを増加させることと、
前記送信終了時間が前記しきい値時間よりも短いときにＫを減少させることと
を行うことによって前記発見窓間隔Ｋを決定することを行わせるコードをさらに備える、Ｃ４２に記載の媒体。
［Ｃ４５］
実行されたとき、前記装置に、最大値Ｋと前のＫに定数を加算したものとのうちの最小値にＫを設定することによってＫを増加させることを行わせるコードをさらに備える、Ｃ４４に記載の媒体。
［Ｃ４６］
実行されたとき、前記装置に、最大値Ｋと前のＫに１よりも大きい定数を乗算したものとのうちの最小値にＫを設定することによってＫを増加させることを行わせるコードをさらに備える、Ｃ４４に記載の媒体。
［Ｃ４７］
実行されたとき、前記装置に、最小値Ｋと前のＫから定数を減算したものとのうちの最大値にＫを設定することによってＫを減少させることを行わせるコードをさらに備える、Ｃ４４に記載の媒体。
［Ｃ４８］
実行されたとき、前記装置に、最小値Ｋと前のＫに１よりも小さい定数を乗算したものとのうちの最大値にＫを設定することによってＫを減少させることを行わせるコードをさらに備える、Ｃ４４に記載の媒体。